(57)【要約】【課題】輝度ムラを抑制でき、かつ、所定軸方向の輝度の視野角依存性の幅を広く維持できるバックライトを提供する。【解決手段】バックライトは、互いに並設される複数の線光源を内部に収納する筐体と、筐体の開口部に配設される拡散板と、レンチキュラレンズシート３１及び拡散シート３２とで構成される光学部材１５とを備える。レンチキュラレンズシート３１のシリンドリカルレンズ３１２の並設方向の断面において、レンズ面３１５の輪郭線のうち、シリンドリカルレンズ３１２Ａの第１の縁ＥＬからシリンドリカルレンズ３１２Ｂの第１の縁ＥＬまでの部分ＰＬを、並設方向に１００個の線分に等分割したとき、各線分の両端を含む直線と平坦面３１４の輪郭線とがなす傾斜角の平均は、２７〜３５ｄｅｇである。【選択図】図４
2009140797.tif 000002
【特許請求の範囲】
【請求項１】
互いに並設される複数の線光源を内部に収納し、開口部を有する筐体と、
前記開口部に配設される拡散板と、
互いに並設され、かつ、前記線光源と並行する複数のシリンドリカルレンズが形成されるレンズ面と、前記レンズ面と反対側の平坦面とを有し、前記拡散板上に敷設されるレンチキュラレンズシートと、
前記レンチキュラレンズシート上に敷設される拡散シートとを備え、
前記レンチキュラレンズシートのシリンドリカルレンズの並設方向の断面は、前記レンズ面の輪郭線と前記平坦面の輪郭線とを有し、前記断面において、各シリンドリカルレンズは、第１及び第２の縁を有し、
前記レンズ面の輪郭線のうち、前記シリンドリカルレンズの第１の縁から隣り合う当該他のシリンドリカルレンズの第１の縁までの部分を、前記並設方向に１００個の線分に等分割し、各線分ごとに、前記線分の両端を含む直線と前記平坦面の輪郭線とがなす傾斜角を求めたとき、前記各線分の傾斜角の平均は、２７〜３５ｄｅｇであることを特徴とするバックライト。
【請求項２】
請求項１に記載のバックライトであって、
前記拡散板は、６０〜７０％の透過率を有し、
前記拡散シートは、８０％以上の透過率と、８０％以上のヘイズとを有することを特徴とするバックライト。
【請求項３】
互いに並設される複数の線光源を内部に収納し、開口部を有する筐体と、前記開口部に配設される拡散板とを備えるバックライトに用いられる光学部材であって、
互いに並設され、かつ、前記線光源と並行する複数のシリンドリカルレンズが形成されるレンズ面と、前記レンズ面と反対側の平坦面とを有し、前記拡散板上に敷設されるレンチキュラレンズシートと、
前記レンチキュラレンズシート上に敷設される拡散シートとを備え、
前記レンチキュラレンズシートのシリンドリカルレンズの並設方向の断面は、前記レンズ面の輪郭線と前記平坦面の輪郭線とを有し、前記断面において、各シリンドリカルレンズは、第１及び第２の縁を有し、
前記レンズ面の輪郭線のうち、前記シリンドリカルレンズの第１の縁から隣り合う当該他のシリンドリカルレンズの第１の縁までの部分を、前記並設方向に１００個の線分に等分割し、各線分ごとに、前記線分の両端を含む直線と前記平坦面の輪郭線とがなす傾斜角を求めたとき、前記各線分の傾斜角の平均は、２７〜３５ｄｅｇであることを特徴とする光学部材。
【請求項４】
互いに並設される複数の線光源を内部に収納し、開口部を有する筐体と、
前記開口部に配設される拡散板と、
互いに並設され、かつ、前記線光源と並行する複数のシリンドリカルレンズが形成されたレンズ面と、前記レンズ面と反対側の平坦面とを有し、前記拡散板上に敷設されるレンチキュラレンズシートと、
前記レンチキュラレンズシート上に敷設される拡散シートと、
前記拡散シート上に敷設される液晶パネルとを備え、
前記レンチキュラレンズシートのシリンドリカルレンズの並設方向の断面は、前記レンズ面の輪郭線と前記平坦面の輪郭線とを有し、前記断面において、各シリンドリカルレンズは、第１及び第２の縁を有し、
前記レンズ面の輪郭線のうち、前記シリンドリカルレンズの第１の縁から隣り合う当該他のシリンドリカルレンズの第１の縁までの部分を、前記並設方向に１００個の線分に等分割し、各線分ごとに、前記線分の両端を含む直線と前記平坦面の輪郭線とがなす傾斜角を求めたとき、前記各線分の傾斜角の平均は、２７〜３５ｄｅｇであることを特徴とする液晶表示装置。
【発明の詳細な説明】
【技術分野】
【０００１】
本発明は、バックライト及び液晶表示装置に関し、さらに詳しくは、互いに配列された複数の線光源を含むバックライト及びそれを用いた液晶表示装置に関する。
【背景技術】
【０００２】
液晶表示装置は、高い正面輝度を求められる。そのため、液晶表示装置に用いられるバックライトは、正面輝度を向上する光学部材を備える。特許第３２６２２３０号公報（特許文献１）に開示されるように、一般的には光学部材としてプリズムシートが用いられる。
【０００３】
プリズムシートを用いた場合、プリズムレンズが液晶パネルの画素と干渉するため、モアレ縞が発生しやすい。特開２００６−２３５０１４号公報（特許文献２）では、このようなモアレ縞を防ぐ技術を開示する。具体的には、プリズムシートと液晶パネルとの間に、拡散シートを敷設する。これにより、モアレ縞の発生が抑制されるとしている。
【０００４】
確かに、プリズムシートと液晶パネルとの間に拡散シートが敷設されれば、プリズムシートが液晶パネルと干渉しなくなり、モアレ縞は解消される。しかしながら、プリズムシート上に拡散シートを敷設すれば、液晶表示装置の表示画面における視野角が狭くなるという問題が生じる。
【０００５】
特に、液晶表示装置の場合、表示画面の左右方向（つまり、水平方向）の視野角が広い方が好ましい。なぜなら、液晶表示装置のユーザは、上下斜め方向から表示画面を見る機会よりも、左右斜め方向から表示画面を見る機会の方がより多いからである。そのため、液晶表示装置の表示画面において、少なくとも左右方向の視野角は広い方が好ましい。具体的には、ＩＰＳ（In-Plane Switching）方式の液晶パネルを含む液晶表示装置の左右方向の輝度の視野角依存性において、正面輝度の１／３以上の輝度を有する視野角範囲（以下、１／３視野角という）が１２０ｄｅｇ以上であるのが好ましい。
【０００６】
さらに、バックライトが、互いに並設された複数の線光源を含む場合、輝度ムラが発生する場合がある。具体的には、表示画面のうち、線光源の配設位置に対応する部分の輝度が高く、その他の部分の輝度が低くなる。このような輝度ムラは、表示画面を見るユーザに違和感を与えるため、輝度ムラを抑える方が好ましい。
【特許文献１】特許第３２６２２３０号
【特許文献２】特開２００６−２３５０１４号公報
【特許文献３】特開２００３−１３２７２０号公報
【発明の開示】
【発明が解決しようとする課題】
【０００７】
本発明の目的は、輝度ムラを抑制でき、かつ、所定軸方向の輝度の視野角依存性の幅を広く維持できるバックライトを提供することである。具体的には、輝度ムラを抑制でき、かつ、ＩＰＳ方式の液晶パネルを敷設して得られた所定軸方向の輝度の視野角依存性において、１／３視野角が１２０ｄｅｇ以上となるバックライトを提供することである。
【課題を解決するための手段及び発明の効果】
【０００８】
本発明によるバックライトは、筐体と、拡散板と、レンチキュラレンズシートと、拡散シートとを備える。筐体は、互いに並設される複数の線光源を内部に収納する。また、筐体は、開口部を有する。拡散板は、開口部に配設される。レンチキュラレンズシートは、拡散板上に敷設される。レンチキュラレンズシートは、レンズ面と、レンズ面と反対側の平坦面とを有する。レンズ面には、互いに並設される複数のシリンドリカルレンズが形成される。シリンドリカルレンズは、線光源と並行する。拡散シートは、レンチキュラレンズシート上に敷設される。
レンチキュラレンズシートのシリンドリカルレンズの並設方向の断面は、レンズ面の輪郭線と平坦面の輪郭線とを有する。また、断面において、各シリンドリカルレンズは、第１及び第２の縁を有する。
レンズ面の輪郭線のうち、シリンドリカルレンズの第１の縁から隣り合う当該他のシリンドリカルレンズの第１の縁までの部分を、並設方向に１００個の線分に等分割したとき、各線分の両端を含む直線と平坦面の輪郭線とがなす傾斜角の平均は、２７〜３５ｄｅｇである。
【０００９】
本発明によるバックライトのレンチキュラレンズシートでは、上述のとおり定義される傾斜角の平均が２７〜３５ｄｅｇとなるため、シリンドリカルレンズの延在方向における輝度の視野角依存性の幅を広く維持することができる。さらに、輝度ムラの発生を抑制できる。
【００１０】
本発明による光学部材は、上述のバックライトに用いられるレンチキュラレンズシートと拡散シートとを備える。また、本発明による液晶表示装置は、上述のバックライトと、バックライト上に敷設される液晶パネルとを備える。
【発明を実施するための最良の形態】
【００１１】
以下、図面を参照し、本発明の実施の形態を詳しく説明する。図中同一又は相当部分には同一符号を付してその説明は繰り返さない。
【００１２】
［液晶表示装置及びバックライトの構成］
図１及び図２を参照して、液晶表示装置１は、バックライト１０と、バックライト１０の正面に敷設される液晶パネル２０とを備える。液晶パネル２０は、ＩＰＳ方式の液晶パネルであり、行列状に配列された複数の画素を備える。液晶表示装置１の表示画面２１は、左右方向（図中ｘ方向）に長辺を有し、上下方向（図中ｙ方向）に短辺を有する長方形状となっている。
【００１３】
バックライト１０は、いわゆる直下型であり、拡散光を出射する面光源１１と、面光源１１上に敷設されるシート状の光学部材１５とを備える。
【００１４】
面光源１１は、ハウジング１２と、線光源である複数の蛍光管１３と、拡散板１４とを備える。ハウジング１２は、正面に開口部１２０を有する筐体であり、内部に複数の蛍光管１３を収納する。ハウジング１２の内側表面は、反射フィルム１２１で覆われている。反射フィルム１２１は、蛍光管１３から出射された光を乱反射し、乱反射された光を開口部１２０に導く。反射フィルム１２１は、たとえば株式会社東レ製ルミラー（登録商標）Ｅ６０ＬやＥ６０Ｖである。反射フィルム１２１は、拡散反射率が９５％以上であるのが好ましい。
【００１５】
複数の蛍光管１３は、ハウジング１２内に上下方向（図１中のｙ方向）に並設される。蛍光管１３は左右方向（図１中のｘ方向）に延在する線光源であり、たとえば例陰極管やＥＥＦＬ（External Electrode Fluorescent Lamp：外部電極蛍光管）である。なお、蛍光管１３とともに、ＬＥＤ（Light Emitting Device）等の複数の点光源がハウジング１２内に収納されていてもよい。また、収納された複数のＬＥＤが線状に配列されることにより、擬似的な線光源が形成されてもよい。
【００１６】
拡散板１４は、開口部１２０に嵌め込まれる。拡散板１４は、ハウジング１２の背面と並行に配設される。拡散板１４が開口部１２０に嵌め込まれると、ハウジング１２の内部は密閉される。そのため、蛍光管１３から出射された光が拡散板１４以外の箇所から外部に漏れるのを防止でき、光の利用効率が向上する。
【００１７】
拡散板１４は、蛍光管１３からの光と反射フィルム１２１で反射された光とを、拡散して正面に出射する。拡散板１４は、透明な基材と、基材内に分散された複数のフィラ（微細な粒子）とで構成される。基材内に分散されたフィラは、可視光領域の波長の光に対する屈折率が基材と異なる。そのため、拡散板１４は、入射された光を拡散し、拡散された光が拡散板１４を透過する。
【００１８】
拡散板１４の基材は、たとえば、ガラスや、ポリエステル系樹脂、ポリカーボネート系樹脂、ポリアクリル酸エステル系樹脂、脂環式ポリオレフィン系樹脂、ポリスチレン系樹脂、ポリ塩化ビニル系樹脂、ポリ酢酸ビニル系樹脂、ポリエーテルスルホン酸系樹脂、トリアセチルセルロース系樹脂等からなる。拡散板１４の好ましい透過率は、６０〜７０％である。
【００１９】
［光学部材］
図３〜図５を参照して、光学部材１５は、レンチキュラレンズシート３１と、拡散シーと３２とを備える。
レンチキュラレンズシート３１は、シート状又はフィルム状であり、拡散板１４上に敷設される。レンチキュラレンズシート３１は、レンズ面３１５と、レンズ面３１５と反対側の平坦面３１４とを有する。平坦面３１４は、拡散板１４と対向する。
【００２０】
レンチキュラレンズシート３１はさらに、基材部３１０とシリンドリカルレンズ部３１１とを備える。基材部３１０は可視光に対して透明である。基材部３１０は、たとえば、ガラス、ポリエステル系樹脂、ポリカーボネート系樹脂、ポリアクリル酸エステル系樹脂、脂環式ポリオレフィン系樹脂、ポリスチレン系樹脂、ポリアセチルセルロース系樹脂等の樹脂からなる。
【００２１】
シリンドリカルレンズ部３１１は、基材部３１０上に形成される。シリンドリカルレンズ部３１１は可視光に対して透明である。シリンドリカルレンズ部３１１は、レンズ面３１５を有する。レンズ面３１５には、互いに等間隔に並設される複数のシリンドリカルレンズ３１２と、複数の平坦部３１３とが形成される。
【００２２】
複数のシリンドリカルレンズ３１２は、線光源である複数の蛍光管１３と並行する。つまり、シリンドリカルレンズ３１２は、蛍光管１３と同様に、上下方向（図１中のｙ方向）に並設される。平坦部３１３は、隣り合うシリンドリカルレンズ３１２の間に形成される。つまり、平坦部３１３は、シリンドリカルレンズ３１２と交互に並設される。
【００２３】
シリンドリカルレンズ部３１１は、電離放射線硬化樹脂からなる。電離放射線硬化樹脂は、紫外線や電子線等の電離放射線により硬化する。電離放射線硬化樹脂はたとえば、ポリエステル系アクリレート樹脂、ウレタン系アクリレート樹脂、ポリエーテル系アクリレート樹脂、エポキシ系アクリレート樹脂、ポリエステル系メタクリレート樹脂、ウレタン系メタクリレート樹脂、ポリエーテル系メタクリレート樹脂、エポキシ系メタクリレート樹脂である。
【００２４】
レンチキュラレンズシート３１は、面光源１１から出射された光を集光する。シリンドリカルレンズ３１２は上下方向に並設されるため、レンチキュラレンズシート３１を透過した光の輝度の視野角依存性は、上下方向よりも左右方向の方が広くなる。換言すれば、レンチキュラレンズシート３１は、左右方向の視野角を上下方向よりも広く維持する。
【００２５】
図３及び図５を参照して、拡散シート３２は、レンチキュラレンズシート３１上に敷設される。拡散シート３２の下面３２２は、レンチキュラレンズシート３１のレンズ面３１５と対向する。拡散シート３２は、基材部３２０と、レンズ部３２１とを備える。基材部３２０は、レンチキュラレンズシート３１の基材部３１０と同様の素材で構成される。
【００２６】
レンズ部３２１は、複数の凸部３２３を含む。また、レンズ部３２１は、バインダ３２４と、球状粒子３２５とを含む。バインダ３２４内の複数の球状粒子３２５の一部がバインダ２３４表面から露出することにより、複数の凸部３２３が形成される。複数の凸部３２３は、下面３２２から入射された光を正面（下面３２２の法線方向）に集光する。バインダ３２４は、電離放射線により硬化される電離放射線硬化樹脂からなる。なお、拡散シート３２上には液晶パネル２０が敷設される。
【００２７】
拡散シート３２はさらに、８０％以上の透過率と、８０％以上のヘイズとを有する。透過率が高ければ、集光効果が低くなる。拡散シート３２は、８０％以上の透過率を有するため、レンチキュラレンズシート３１から出射された光の集光を抑える。つまり、レンチキュラレンズシート３１により形成された輝度の視野角依存性の幅を維持しながら、光を透過する。したがって、左右方向の視野角が狭くなるのを抑制できる。
【００２８】
ヘイズは、曇価とも呼ばれ、入射した光が拡散する度合いを示す。ヘイズが８０％以上であれば、輝度ムラの発生が抑制される。一方、ヘイズが８０％未満であれば、光の拡散の度合いが小さくなるため、輝度ムラが発生しやすくなる。
【００２９】
［レンチキュラレンズシートの形状］
レンチキュラレンズシート３１は、以下に説明する形状を有する。そのため、バックライト１０は、左右方向に広い視野角を有し、かつ、輝度ムラの発生を抑制できる。
【００３０】
レンチキュラレンズシート３１のシリンドリカルレンズ３１２の並設方向の断面は、図４に示すとおりであり、レンズ面３１５の輪郭線と、平坦面３１３の輪郭線とを有する。この断面において、各シリンドリカルレンズ３１２は、第１の縁ＥＬと、第２の縁ＥＲとを有する。
【００３１】
ここで、この断面において、シリンドリカルレンズ３１２Ａの第１の縁ＥＬから、シリンドリカルレンズ３１２Ａと隣り合うシリンドリカルレンズ３１２Ｂの縁ＥＬまでのレンズ面３１５の輪郭線ＰＬ(Profile Line)に注目する。輪郭線ＰＬは、シリンドリカルレンズ３１２の１配列ピッチ分の範囲内のレンズ面の輪郭線である。
【００３２】
図６に示すように、輪郭線ＰＬを、シリンドリカルレンズ３１２の並設方向に、１００個の線分ＬＳ(Line Segment)１〜１００に等分割する。
続いて、図７に示すように、等分割された各線分ＬＳｎ（ｎ＝１〜１００）ごとに、線分ＬＳｎの両端を含む直線ＳＴｎ(Straight line)を求める。そして、求めた直線ＳＴｎと平坦面３１４の輪郭線とがなす角度を傾斜角αｎと定義する。なお、傾斜角αｎは、線分ＬＳｎの一方の端点を含み、かつ、平坦面３１４の輪郭線と平行な仮想線ＶＬｎと、直線ＳＴｎとがなす角度と同じである。
【００３３】
レンチキュラレンズシート３１では、各線分ＬＳ１〜ＬＳ１００の傾斜角α１〜α１００の平均（以下、平均傾斜角αａｖｅという）が、２７〜３５ｄｅｇである。
平均傾斜角αａｖｅが２７ｄｅｇ未満である場合、シリンドリカルレンズ３１２の表面（凸面）の曲率が小さい。そのため、集光機能が過剰に低い。その結果、左右方向の輝度の視野角依存性の幅は広がるものの、輝度ムラが発生する。一方、平均傾斜角αａｖｅが３５ｄｅｇを越える場合、シリンドリカルレンズ３１２のレンズ表面の曲率は大きい。そのため、集光機能が過剰に高い。その結果、輝度ムラは抑制されるものの、左右方向の輝度の視野角依存性の幅が狭くなる。
【００３４】
本実施の形態では、平均傾斜角αａｖｅを２７〜３５ｄｅｇとすることにより、左右方向の輝度の視野角依存性の幅を広く維持する。具体的には、平均傾斜角αａｖｅを２７〜３５ｄｅｇにすることにより、ＩＰＳ方式の液晶パネル２０をバックライト１０に敷設した場合の左右方向の輝度の視野角依存性において、正面輝度の１／３以上の輝度となる視野角範囲である１／３視野角が、１２０ｄｅｇ以上となる。さらに、輝度ムラの発生も抑制できる。好ましい平均傾斜角αａｖｅは２８〜３３ｄｅｇである。
図４及び６に示すとおり、レンチキュラレンズシート３１のレンズ面３１５が、シリンドリカルレンズ３１２だけでなく平坦部３１３も含む場合、輪郭線ＰＬは、１つのシリンドリカルレンズ３１２の表面の輪郭線と１つの平坦部３１３の輪郭線とを含む。ただし、本実施の形態によるレンチキュラレンズシート３１は、平坦部３１３を含まなくてもよい。この場合、シリンドリカルレンズ３１２Ａの縁ＥＬからシリンドリカルレンズ３１２Ｂの縁ＥＬまでの間の輪郭線ＰＬは、シリンドリカルレンズ３１２Ａの凸面の輪郭線と一致する。
【００３５】
シリンドリカルレンズ３１２の凸面の横断形状は、たとえば、図８に示すように、長軸ＬＡの端点がレンズ頂上ＴＣとなる楕円弧であってもよい。また、図９に示すように、レンズ頂上ＴＣを含む弧３１６と、弧３１６の端点ＣＰとシリンドリカルレンズ３１２の縁ＥＬ及びＥＲとを結ぶ線分３１７とで構成される弓状であってもよい。
【００３６】
また、バックライト１０を直下型としたが、バックライト１０がエッジライト方式であっても、本発明の効果をある程度奏することができる。
【００３７】
［製造方法］
レンチキュラレンズシート３１は周知の方法で製造される。レンチキュラレンズシート３１を製造する工程の一例は以下のとおりである。複数のシリンドリカルレンズ３１２に対応した複数の溝を表面に有するロール版を準備する。ダイコータにより電離放射線硬化樹脂をロール版上に塗布する。続いて、基材部３１０となる基材シートをロール版に押し当てながら、電離放射線を照射して、シリンドリカルレンズ部３１１を基材部３１０上に転写する。以上の工程により、レンチキュラレンズシート３１が製造される。
【００３８】
なお、上述の製造方法では、電離放射線硬化樹脂をロール版上に塗布したが、電離放射線硬化樹脂を基材部３１０上に塗布して電離放射線硬化樹脂層を形成してもよい。この場合、電離放射線硬化樹脂層をロール版に押し当てる。また、ロール版の表面と基材部３１０の表面とに、それぞれ電離放射線硬化樹脂を塗布してもよい。また、ロール版の代わりに、板状の平版を用いてもよい。
【００３９】
拡散シート３２も、周知の製造方法により製造することができる。拡散シート３２を製造する工程の一例は以下のとおりである。始めに、複数の球状粒子を、バインダとなる電離放射線硬化樹脂中に均一に分散する。続いて、球状粒子が分散された電離放射線硬化樹脂を、グラビアコータを用いて、基材部３２０となる基材シート上に塗布する。続いて、電離放射線を照射して電離放射線硬化樹脂を硬化し、拡散シート３２とする。
【００４０】
なお、拡散シート３２は上述の方法と異なる方法でも製造できる。たとえば、有機溶剤溶解性樹脂を有機溶剤に溶かした塗料を準備する。準備された塗料中に球状粒子を分散する。続いて、球状粒子が分散された塗料を基材シート上に塗布する。有機溶剤を乾燥して、拡散シート３２とする。
【実施例】
【００４１】
種々の形状を有する光学レンズシートを用いて、試験番号１〜６のバックライトを製造した。製造されたバックライトの輝度の視野角依存性及び輝度ムラを調査した。
【００４２】
試験番号１〜５のバックライトは、それぞれ以下の方法で製造した。
【００４３】
まず、レンチキュラレンズシートを以下の方法で製造した。シリンドリカルレンズの形状に対応する複数の溝を有するロール版を準備し、準備されたロール版上に紫外線硬化樹脂を塗布した。続いて、基材部となるポリエチレンテレフタレート（ＰＥＴ）フィルムにロール版を押し当てた。このとき、紫外線を照射して紫外線硬化樹脂を硬化し、レンチキュラレンズシートとした。
【００４４】
製造されたレンチキュラレンズシートの平均傾斜角αａｖｅを求めた。レンチキュラレンズシートのシリンドリカルレンズの並設方向の断面画像を走査型電子顕微鏡（ＳＥＭ）により得た。得られた画像を２値化処理し、レンズ面及び平坦面の輪郭線を明確にした。続いて、任意の輪郭線ＰＬを選択し、選択された輪郭線ＰＬを１００個の線分ＬＳｎ（ｎ＝１〜１００）に等分割した。上述の方法により、分割された各線分ＬＳｎごとに、傾斜角αｎを求めた。求めた傾斜角αｎの平均を求め、平均傾斜角αａｖｅとした。表１に、各試験番号のレンチキュラレンズシートのシリンドリカル形状と、平均傾斜角αａｖｅとを示す。
【表１】
2009140797.tif 000003
表１中の「レンズ横断形状」は、各試験番号のレンチキュラレンズシートを構成するシリンドリカルレンズの表面の横断形状を示す。表中の「楕円」は、シリンドリカルレンズの凸面の横断形状が、図８に示す楕円弧であったことを示す。また、表中の「弓状」は、シリンドリカルレンズ凸面の横断形状が、図９に示すように、頂上を含む円弧と、円弧の端点とシリンドリカルレンズのエッジとを結ぶ接線とで構成された弓状であったことを示す。
【００４５】
また、表１中の「αａｖｅ」は、平均傾斜角αａｖｅを示す。試験番号１〜３の平均傾斜角αａｖｅは、いずれも２７〜３５ｄｅｇの範囲内であり、本発明の範囲内であった。一方、試験番号４は、平均傾斜角αａｖｅが３８．０ｄｅｇであり、本発明の上限を超えた。試験番号５は、平均傾斜角αａｖｅが２６．０ｄｅｇであり、本発明の下限未満であった。
【００４６】
次に、光学部材を構成する拡散シートを以下の方法で製造した。異なる粒子径を有する複数種類のアクリル粒子を紫外線硬化樹脂に分散した塗料を準備した。また、基材部となるＰＥＴフィルムを準備した。グラビアコータを用いて、塗料をＰＥＴフィルム上に塗布した。紫外線を照射して塗布された塗料を硬化し、拡散シートを製造した。製造された拡散シートでは、複数のアクリル粒子の一部が表面から露出しており、表面に凹凸が形成された。製造された拡散シートの透過率（％）及びヘイズ（％）を表１に示す。透過率は、ＪＩＳＫ７３６１に準拠した測定法により測定され、ヘイズは、ＪＩＳＫ７１３６に準拠した測定法により測定された。
【００４７】
面光源は、以下のとおりに製造された。１６本のＥＥＦＬを収納した筐体を準備した。ＥＥＦＬは、上下方向（図１中のｙ方向）に配列された。筐体の開口部には、表１に示す透過率を有する拡散板を嵌め込んだ。
【００４８】
面光源上に、製造されたレンチキュラレンズシートを敷設し、さらに、レンチキュラレンズシート上に、製造された拡散シートを敷設して、試験番号１〜５のバックライトを製造した。このとき、シリンドリカルレンズの並設方向は、ＥＥＦＬの並設方向と同じ上下方向とした。
【００４９】
さらに、試験番号６のバックライト装置を製造した。試験番号６のバックライト装置は、試験番号１〜５のバックライトで使用されたレンチキュラレンズシートの代わりに、プリズムシートを使用した。プリズムシートの各プリズムの横断形状は、頂角が９０ｄｅｇの二等辺三角形であり、平均傾斜角αａｖｅは、表１に示すとおり、４５ｄｅｇであった。面光源は、試験番号１〜５と同じ構成とした。
【００５０】
面光源上にプリズムシートを敷設した。このとき、プリズムの並設方向は、ＥＥＦＬの並設方向と同じとした。さらに、プリズムシートのプリズム面上に拡散シートを敷設し、バックライトとした。
【００５１】
［調査方法］
製造された試験番号１〜６のバックライトについて、正面輝度比、左右方向の１／３視野角、及び輝度ムラを、次に示す方法により調査した。
【００５２】
［正面輝度比及び１／３視野角］
各バックライト上に３２インチサイズの表示画面を有するＩＰＳ方式の液晶パネルを敷設し、液晶表示装置とした。
【００５３】
各液晶表示装置の輝度の視野角依存性を測定した。視野角は、表示画面の法線方向（正面）を０度軸とし、０度軸から上下方向への傾き角を上下視野角、０度軸から左右方向への傾き角を左右視野角とした。左右視野角のうち、法線から右方向への傾き角（視野角）をプラス（＋）で示し、法線から左方向への傾き角（視野角）をマイナス（−）で示した。同様に、上下視野角のうち、法線から上方向への傾き角（視野角）をプラス（＋）で示し、法線から下方向への傾き角（視野角）をマイナス（−）で示した。各上下視野角及び左右視野角の輝度は輝度計により測定した。輝度の測定箇所は、表示画面の中央部とした。
【００５４】
上下方向及び左右方向の輝度の視野角依存性を測定後、正面輝度比を以下の方法で求めた。まず、試験番号ごとに、面光源と、ＩＰＳ方式の液晶パネルとで構成された液晶表示装置を作製した。つまり、光学部材（レンチキュラレンズシート及び拡散シート）を抜いた液晶表示装置を作製した。以下、この液晶表示装置を基準装置という。続いて、基準装置の正面輝度（以下、基準正面輝度という）を求めた。求めた基準正面輝度に対する各試験番号の液晶表示装置（光学部材を含む液晶表示装置）の正面輝度の比を正面輝度比とした。
【００５５】
さらに、１／３視野角を以下の方法で求めた。まず、図１０〜図１４に示すように、各試験番号の輝度の視野角依存性のグラフを作製した。図１０は、試験番号１の輝度の視野角依存性を示す。図１１は試験番号２の輝度の視野角依存性を示し、図１２〜図１４は、それぞれ試験番号４〜６の輝度の視野角依存性を示す。各図の横軸は、視野角である。また、縦軸は、各視野角での輝度比（相対輝度）である。各視野角の輝度比は、上述の基準正面輝度に対する各視野角の輝度の比である。図中の実線は左右方向の輝度の視野角依存性の曲線であり、破線は上下方向の輝度の視野角依存性の曲線である。
【００５６】
図１０〜図１４に示す左右方向の輝度の視野角依存性のうち、正面（視野角０ｄｅｇ）の輝度の１／３以上の輝度を有する視野角範囲を求め、求めた視野角範囲を１／３視野角とした。試験番号３についても、図１０〜図１４と同様の輝度の視野角依存性のグラフを作成し、１／３視野角を求めた。
【００５７】
［輝度ムラ］
輝度ムラは以下の方法で評価した。上述の各試験番号１〜６の液晶表示装置を用いて、表示画面上に輝度ムラが発生しているか否かを、目視により判断した。
【００５８】
［調査結果］
調査結果を表１に示す。表１中の「輝度ムラ」中の「○」印は、輝度ムラが発生しなかったことを示す。「×」は輝度ムラが発生したことを示す。また、表１中の１／３視野角中の「１２４．４」は、左右方向の１／３視野角が１２４．４ｄｅｇ（−６２．２ｄｅｇ〜＋６２．２ｄｅｇ）であったことを示す。
【００５９】
表１を参照して、試験番号１〜試験番号３のバックライトでは、平均傾斜角αａｖｅが２７〜３５ｄｅｇの範囲内であったため、いずれも、１／３視野角が１２０ｄｅｇを越えた。また、輝度ムラが発生しなかった。
【００６０】
さらに、試験番号１〜３の正面輝度比は、いずでも１よりも大きかった。つまり、光学部材を用いることにより、正面輝度が向上した。
【００６１】
一方、試験番号４のバックライトでは、平均傾斜角αａｖｅが３５ｄｅｇを越えたため、１／３視野角が１２０ｄｅｇ未満となった。また、試験番号５のバックライトでは、平均傾斜角αａｖｅが２７ｄｅｇ未満であったため、輝度ムラが発生した。試験番号６は、レンチキュラレンズシートの代わりにプリズムシートを用い、かつ、平均傾斜角αａｖｅも３５ｄｅｇを越えたため、１／３視野角が１２０ｄｅｇ未満となった。
【００６２】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００６３】
【図１】本発明の実施の形態による液晶表示装置の斜視図である。
【図２】図１中のバックライトの線分ＩＩ−ＩＩでの断面図である。
【図３】図２中の光学部材１５の斜視図である。
【図４】図３中の線分ＩＶ−ＩＶでのレンチキュラレンズシートの断面図である。
【図５】図３中の線分Ｖ−Ｖでの拡散シートの断面図である。
【図６】図４に示したレンチキュラレンズシートの横断形状を説明するための図面である。
【図７】図６に示したレンチキュラレンズシートの横断形状の拡大図である。
【図８】図４と異なる、レンチキュラレンズシートの横断形状の他の例を示す図である。
【図９】図４及び図８と異なる、レンチキュラレンズシートの横断形状の他の例を示す図である。
【図１０】実施例の試験番号１のバックライトでの輝度の視野角依存性を示す図である。
【図１１】実施例の試験番号２のバックライトでの輝度の視野角依存性を示す図である。
【図１２】実施例の試験番号４のバックライトでの輝度の視野角依存性を示す図である。
【図１３】実施例の試験番号５のバックライトでの輝度の視野角依存性を示す図である。
【図１４】実施例の試験番号６のバックライトでの輝度の視野角依存性を示す図である。
【符号の説明】
【００６４】
１  液晶表示装置
１０  バックライト
１２  ハウジング
１３  蛍光管
１４  拡散板
１５  光学部材
２０  液晶パネル
３１  レンチキュラレンズシート
３２  拡散シート
１２０  開口部
３１２  シリンドリカルレンズ
３１４  平坦面
３１５  レンズ面
ＥＬ、ＥＲ  縁
ＬＳｎ  線分
ＰＬ  輪郭線
ＳＴｎ    直線
αｎ  傾斜角
【図１】
2009140797.tif 000004
【図２】
2009140797.tif 000005
【図３】
2009140797.tif 000006
【図４】
2009140797.tif 000007
【図５】
2009140797.tif 000008
【図６】
2009140797.tif 000009
【図７】
2009140797.tif 000010
【図８】
2009140797.tif 000011
【図９】
2009140797.tif 000012
【図１０】
2009140797.tif 000013
【図１１】
2009140797.tif 000014
【図１２】
2009140797.tif 000015
【図１３】
2009140797.tif 000016
【図１４】
2009140797.tif 000017